(57)【要約】【課題】架台フレームに対して斜辺フレームをしっかり固定できると共に、固定金具が目立たず意匠性が良好な太陽光発電装置を提供することである。【解決手段】太陽光発電装置１０は、斜辺１２ｃを含む平面視多角形状の太陽電池パネル１２と、斜辺フレーム１３ｃとを有する異形モジュール１１と、屋根５０の軒棟方向に沿うように配置された架台フレーム３０と、斜辺フレーム１３ｃを架台フレーム３０に固定するための固定金具４０とを備える。架台フレーム３０は、その長手方向一端部に斜辺フレーム１３ｃが載せられ、当該一端部が異形モジュール１１の裏側からはみ出さないように配置される。固定金具４０は、斜辺フレーム１３ｃの外側面Ｓ１に沿って配置され外側面Ｓ１に固定された板状の第１固定部４１と、第１固定部４１の一端部から架台フレーム３０の長手方向に延び当該フレームの一方の側壁部３２ａに固定された第２固定部４２とを有する。【選択図】図３
2017150143.tif 000002
【特許請求の範囲】
【請求項１】
屋根の軒棟方向及び桁方向に対して交差する方向に延びた斜辺を含む平面視多角形状の太陽電池パネルと、当該パネルの前記斜辺に沿って設置された斜辺フレームとを有する太陽電池モジュールと、
前記屋根の軒棟方向に沿うように配置された長尺状の架台フレームであって、長手方向一端部に前記斜辺フレームが載せられ、当該一端部が前記太陽電池モジュールの裏側からはみ出さないように配置された架台フレームと、
前記斜辺フレームを前記架台フレームに固定するための固定金具と、
を備え、
前記固定金具は、前記斜辺フレームの外側面に沿って配置され当該外側面に固定された板状の第１固定部と、前記第１固定部の一端部から前記架台フレームの長手方向に延び当該フレームの一方の側壁部に固定された第２固定部とを有する、太陽光発電装置。
【請求項２】
前記架台フレームの前記長手方向一端部には、前記斜辺フレームの長手方向に沿った切断面が形成されている、請求項１に記載の太陽光発電装置。
【請求項３】
前記架台フレームの上部には、フレームの幅方向に張り出した鍔部が形成され、
前記固定金具は、前記第１固定部の他端部から前記架台フレームの長手方向に延び、当該フレームの他方の側壁部に沿って前記鍔部の下に配置された第３壁部を有する、請求項１又は２に記載の太陽光発電装置。
【請求項４】
前記斜辺フレームは、前記太陽電池モジュールの外側に向かって開口した外溝を有し、
前記固定金具は、前記第１固定部から前記斜辺フレーム側に突出し、前記外溝に挿し込まれる凸状部を有する、請求項１〜３のいずれか１項に記載の太陽光発電装置。
【請求項５】
前記第２固定部は、ネジを用いて前記架台フレームの前記一方の側壁部に固定され、当該ネジが挿通される貫通孔を有し、
前記貫通孔は、前記架台フレームの長手方向に長く形成された長孔である、請求項１〜４のいずれか１項に記載の太陽光発電装置。
【発明の詳細な説明】
【技術分野】
【０００１】
本開示は、太陽光発電装置に関する。
【背景技術】
【０００２】
太陽電池モジュールは、太陽電池パネルと、当該パネルの端縁部に設置されたモジュールフレームとを備える（例えば、特許文献１参照）。特許文献１に開示されるように、太陽電池モジュールは平面視矩形形状を呈するものが一般的であるが、例えば寄棟屋根、方形屋根等に矩形形状の太陽電池モジュールを設置すると、屋根の桁方向の端部近傍にモジュールを設置できないスペースが形成される。そこで、屋根の軒棟方向及び桁方向に対して交差する方向に延びた斜辺を含む平面視多角形状の太陽電池パネルを有し、かかるスペースに設置可能な太陽電池モジュール（以下、「異形モジュール」という場合がある）が開発されている。異形モジュールは、例えば斜辺部分が屋根の隅棟部に沿うように配置される。
【０００３】
なお、太陽電池モジュールは、屋根に固定された長尺状の架台フレーム上に複数載置されて太陽光発電装置を構成する。架台フレーム上にはモジュールフレームが載せられ、固定金具を用いてモジュールフレームが架台フレームに固定される（例えば、特許文献２参照）。
【先行技術文献】
【特許文献】
【０００４】
【特許文献１】特開２０１５−１９５６６３号公報
【特許文献２】特開２０１５−０６３８２５号公報
【発明の概要】
【発明が解決しようとする課題】
【０００５】
ところで、異形モジュールは、太陽電池パネルの上記斜辺に沿って設置された斜辺フレームを有する。異形モジュールを用いて太陽光発電装置を構築する場合、装置の耐荷重性を確保するために、斜辺フレームを架台フレーム上に載置し、固定金具を用いて架台フレームに固定する必要がある。しかし、屋根の棟軒方向に沿うように架台フレームを配置し、斜辺フレームが隅棟部に沿うように異形モジュールを配置すると、各フレームが非直角に交わり、従来の固定金具では安定に固定できない場合がある。
【０００６】
また、斜辺フレームの棟側には他の太陽電池モジュールが配置されず、化粧カバーも取り付けられないことが一般的であるため、従来の固定金具を用いた場合は、固定金具が斜辺フレームから棟側に大きく張り出し、太陽光発電装置の見栄えが悪くなることが懸念される。
【課題を解決するための手段】
【０００７】
本開示に係る太陽光発電装置は、屋根の軒棟方向及び桁方向に対して交差する方向に延びた斜辺を含む平面視多角形状の太陽電池パネルと、当該パネルの斜辺に沿って設置された斜辺フレームとを有する太陽電池モジュールと、屋根の軒棟方向に沿うように配置された長尺状の架台フレームであって、長手方向一端部に斜辺フレームが載せられ、当該一端部が太陽電池モジュールの裏側からはみ出さないように配置された架台フレームと、斜辺フレームを架台フレームに固定するための固定金具とを備え、固定金具は、斜辺フレームの外側面に沿って配置され当該外側面に固定された板状の第１固定部と、第１固定部の一端部から架台フレームの長手方向に延び当該フレームの一方の側壁部に固定された第２固定部とを有する。
【発明の効果】
【０００８】
本開示の一態様によれば、架台フレームに対して異形モジュールの斜辺フレームをしっかり固定できると共に、固定金具が目立たず意匠性が良好な太陽光発電装置を提供することができる。
【図面の簡単な説明】
【０００９】
【図１】実施形態の一例である太陽光発電装置を示す図である。
【図２】実施形態の一例である太陽電池モジュール（異形モジュール）の平面図である。
【図３】図２中のＡＡ線断面図である。
【図４】実施形態の一例である架台フレーム及び固定金具を示す斜視図である。
【図５】実施形態の一例である異形モジュールの固定金具が取り付けられた部分を棟側から見た図である。
【発明を実施するための形態】
【００１０】
以下、実施形態の一例について添付図面を参照しながら詳細に説明する。図面はいずれも模式的に記載されたものであり、図面に描画された構成要素の寸法比率などは以下の説明を参酌して判断されるべきである。なお、本明細書において「略〜」との記載は、略同一を例に説明すると、完全に同一はもとより、実質的に同一と認められる場合を含む意図である。
【００１１】
以下に例示する実施形態では、長尺状の架台フレーム３０が屋根５０の軒棟方向に沿うように配置されている。屋根５０は、隅棟部５２を有する寄棟屋根又は方形屋根である。但し、本開示に係る太陽光発電装置は寄棟屋根、方形屋根以外の屋根に設置されてもよい。
【００１２】
以下では、屋根の桁方向（屋根の軒棟方向に垂直な方向）に沿う固定金具等の方向を「横方向」、屋根の野地板に垂直な方向に沿う固定金具等の方向を「上下方向」という場合がある。図面には、屋根の軒棟方向を矢印α、桁方向・横方向を矢印β、上下方向を矢印γで示す。
【００１３】
図１は、実施形態の一例である太陽光発電装置１０を示す図である。図１に例示するように、太陽光発電装置１０は、平面視略五角形状の太陽電池モジュールである異形モジュール１１を備える。異形モジュール１１は、屋根５０の軒棟方向及び桁方向に対して交差する方向に延びた斜辺１２ｃ（図２参照）を含む平面視略五角形状の太陽電池パネル１２と、当該パネルの斜辺１２ｃに沿って設置された斜辺フレーム１３ｃとを有する。異形モジュール１１は、屋根５０の桁方向両端に位置する隅棟部５２の近傍において、斜辺部分が隅棟部５２に沿うように配置されている。
【００１４】
太陽光発電装置１０は、屋根５０の軒棟方向に沿うように配置された長尺状の架台フレーム３０と、異形モジュール１１の斜辺フレーム１３ｃを架台フレーム３０に固定するための固定金具４０とを備える。固定金具４０は、斜辺フレーム１３ｃ専用の金具である。なお、架台フレーム３０は取り付け金具（図示せず）を用いて屋根５０の野地板に固定される。
【００１５】
太陽光発電装置１０は、屋根５０の桁方向に沿った太陽電池モジュールの列を備える。太陽電池モジュールの列は、平面視略五角形状の異形モジュール１１、平面視略長方形状の一般モジュール１４、及び平面視略正方形状のハーフモジュール１５を含む。太陽電池モジュールの各列は、例えば列の両端に異形モジュール１１が、異形モジュール１１の横にハーフモジュール１５がそれぞれ配置されて構成される。各ハーフモジュール１５の間には、複数の一般モジュール１４が配置される。
【００１６】
太陽光発電装置１０は、上記太陽電池モジュールの列を複数備える。一般モジュール１４の数は各列で異なり、屋根５０の棟部（図示せず）から軒部５１に近づき屋根５０の桁方向長さが長くなるほど列の長さが長くなる。そして、異形モジュール１１の棟側には太陽電池モジュールが配置されない。太陽光発電装置１０の軒側端部には、桁方向に沿って化粧カバー１６が取り付けられている。
【００１７】
架台フレーム３０は、長手方向一端部に異形モジュール１１の斜辺フレーム１３ｃが載せられる架台フレームであって、当該一端部が異形モジュール１１の裏側からはみ出さないように配置される。異形モジュール１１の裏側には、架台フレーム３０に加えて架台フレーム３６が配置される。即ち、１枚の異形モジュール１１は２本の架台フレームによって支持されている。各一般モジュール１４及び各ハーフモジュール１５も、２本の架台フレーム３６によって支持されている。図１では、斜辺フレーム１３ｃが載せられる架台フレームを架台フレーム３０とし、他の架台フレーム３６と区別している。
【００１８】
異形モジュール１１を支持する架台フレーム３０，３６は、屋根５０の桁方向に適当な間隔をあけて互いに略平行に配置される。本実施形態では、全ての架台フレーム３０，３６が軒棟方向に沿って、互いに略平行に配置されている。架台フレーム３０，３６は、上述の通り取り付け金具を用いて屋根５０の野地板に固定される。取り付け金具は、太陽光発電装置１０の表側から見えないように、各太陽電池モジュールの裏側に設置される。太陽光発電装置１０は、屋根５０に固定された長尺状の架台フレーム３０，３６上に、複数の異形モジュール１１、一般モジュール１４、及びハーフモジュール１５を並べて設置することで構成される。
【００１９】
図２は、異形モジュール１１の平面図である。図２に例示するように、異形モジュール１１は、斜辺１２ｃを含む平面視略五角形状の太陽電池パネル１２と、当該パネルの端縁部に設置されたモジュールフレーム１３とを有する。太陽電池パネル１２は、例えば複数の太陽電池セルが封止材として機能する２枚の樹脂シート、及びガラス基板等の２枚の保護部材で挟持された構造を有する。モジュールフレーム１３は、太陽電池パネル１２の端縁部を保護し、異形モジュール１１の架台フレーム３０，３６への固定に利用される部材である。一般モジュール１４及びハーフモジュール１５も、太陽電池パネルと、当該パネルの端縁部に設置されたモジュールフレームとを有する。
【００２０】
平面視略五角形状の太陽電池パネル１２は、斜辺１２ｃと、斜辺１２ｃとそれぞれ鈍角に交わる２つの辺１２ｂと、各辺１２ｂとそれぞれ略直交する２つの辺１２ａとを含む。斜辺１２ｃと各辺１２ｂとがなす角度は、例えばいずれも約１３５°である。図２に示す例では、辺１２ａが辺１２ｂより長く、２つの辺１２ａ、２つの辺１２ｂがそれぞれ互いに略同一の長さを有する。各辺１２ａは互いに略直角に交わり、斜辺１２ｃは各辺１２ａに対して約４５°の角度で傾斜している。
【００２１】
モジュールフレーム１３は、太陽電池パネル１２の２つの辺１２ａに沿って設置された第１フレーム１３ａと、２つの辺１２ｂに沿って設置された第２フレーム１３ｂと、斜辺１２ｃに沿って設置された斜辺フレーム１３ｃとを含む。各フレームは、例えばアルミニウム等の金属材料を押出成形して得られる長尺状の部材であって、各々の長手方向端面同士を突き合わせた状態で太陽電池パネル１２の周縁を囲むように設置される。
【００２２】
架台フレーム３０は異形モジュール１１の横方向一方側に、架台フレーム３６は異形モジュール１１の横方向他方側にそれぞれ配置される。架台フレーム３０は、斜辺フレーム１３ｃから第１フレーム１３ａにわたって設けられている。架台フレーム３０の長手方向一端部（以下、「棟側端部」という場合がある）には斜辺フレーム１３ｃが載せられ、架台フレーム３０の長手方向他端部（以下、「軒側端部」という場合がある）には第１フレーム１３ａが載せられている。架台フレーム３６は、第２フレーム１３ｂから第１フレーム１３ａにわたって設けられ、架台フレーム３６上には第２フレーム１３ｂ及び第１フレーム１３ａが載せられている。
【００２３】
斜辺フレーム１３ｃは、固定金具４０を用いて架台フレーム３０に固定される。第１フレーム１３ａは、第１金具１７を用いて架台フレーム３０，３６にそれぞれ固定され、第２フレーム１３ｂは、第２金具１８を用いて架台フレーム３６に固定される。即ち、異形モジュール１１は斜辺部分を含む４箇所で架台フレーム３０，３６に対して固定される。
【００２４】
以下、図３〜図５を参照しながら、モジュールフレーム１３、架台フレーム３０、及び固定金具４０について、さらに詳説する。図３は図２中のＡＡ線断面図、図４は架台フレーム３０及び固定金具４０を示す斜視図である。図５は、異形モジュール１１の固定金具４０が取り付けられた部分を棟側から見た図である。
【００２５】
図３及び図４に例示するように、架台フレーム３０は、一対の側壁部３２ａ，３２ｂを有する。架台フレーム３０は、側壁部３２ａ，３２ｂの上端同士を連結する上壁部３１と、上壁部３１と略平行に形成され側壁部３２ａ，３２ｂの下端同士を連結する下壁部３３とを有する中空構造のフレームである。側壁部３２ａ，３２ｂは、互いに略平行に形成され、上壁部３１及び下壁部３３に対して略垂直に形成される。上壁部３１の上面には、一対の鉤部３４が立設している。
【００２６】
架台フレーム３０の上部には、フレームの幅方向に張り出した鍔部３７が形成されている。鍔部３７は、上壁部３１を側壁部３２ａ，３２ｂとの接続部分から幅方向にさらに延ばすことで形成される。そして、上壁部３１の幅方向に張り出した部分である鍔部３７の先端に鉤部３４が形成される。架台フレーム３０は、第１金具１７をスライド可能に支持するガイドレール部を有する。ガイドレール部は、上壁部３１と、上壁部３１に立設する鉤部３４とで構成される。なお、架台フレーム３６も架台フレーム３０と同様の構成を備え、第１金具１７、第２金具１８等をスライド可能に支持するガイドレール部を有する。
【００２７】
架台フレーム３０の斜辺フレーム１３ｃが載せられる棟側端部には、斜辺フレーム１３ｃの長手方向に沿った切断面３５が形成されている。切断面３５は、架台フレーム３０をその長手方向及び幅方向に対して交差する方向に切断して形成される。即ち、架台フレーム３０の長さは、一方の側壁部３２ａ側で短く、他方の側壁部３２ｂ側で長くなっている。架台フレーム３０の幅方向に沿った仮想線Ｘと切断面３５に沿った仮想線Ｙとがなす角度θは、例えば太陽電池パネル１２の斜辺１２ｃと辺１２ａとがなす角度（約４５°）に等しい。他方、架台フレーム３０の第１フレーム１３ａが載せられる軒側端部には、フレームの幅方向に沿った切断面が形成されている。
【００２８】
棟側端部を幅方向に切断した架台フレームを用いることも可能であるが、この場合、異形モジュール１１の裏側からはみ出ないように当該フレームを配置すると、斜辺フレーム１３ｃを支持する面積が小さくなる。上述のように、斜辺フレーム１３ｃの長手方向（斜辺１２ｃに沿った方向）に架台フレーム３０の棟側端部を切断することで、棟側端部が太陽電池パネル１２の裏側からはみ出ないように架台フレーム３０を配置しても、斜辺フレーム１３ｃを安定に支持できる。
【００２９】
図３に例示するように、架台フレーム３０上に載せられるフレーム１３ａ及び斜辺フレーム１３ｃは、中空の角柱形状を有する本体部２０と、モジュールの内側に向かって開口した内溝２２と、モジュールの外側に向かって開口した外溝２４とをそれぞれ有する。また、各フレームはモジュールの内側に張り出した内鍔部２５を有する。各フレームは本体部２０の上面に立設した第１鉤部２１を有し、本体部２０の上面と第１鉤部２１との間に太陽電池パネル１２を挿入可能な隙間である内溝２２が形成される。また、各フレームは本体部２０の下面に立設した第２鉤部２３を有し、本体部２０の下面と第２鉤部２３との間に第１金具１７を挿し込み可能な隙間である外溝２４が形成される。
【００３０】
第１フレーム１３ａは、上述の通り第１金具１７を用いて架台フレーム３０の軒側端部に固定される。第１金具１７は、架台フレーム３０のガイドレール部を構成する上壁部３１と鉤部３４の間に挿し込まれ、上方に抜けない状態でスライド可能に支持されている。第１金具１７及び上壁部３１には、ボルト１９が挿通される貫通孔が形成されており、第１金具１７はボルト１９を用いて上壁部３１の軒側端部に位置決めされる。そして、第１金具１７が第１フレーム１３ａの外溝２４に挿し込まれて第１フレーム１３ａと係合することで、架台フレーム３０に対して第１フレーム１３ａが固定される。
【００３１】
斜辺フレーム１３ｃは、上述の通り固定金具４０を用いて架台フレーム３０の棟側端部に固定される。架台フレーム３０の棟側端部は、異形モジュール１１の裏側のみに位置し、斜辺フレーム１３ｃの外端（外側面Ｓ１に対応する位置）よりモジュールの内側に設けられている。但し、斜辺フレーム１３ｃを安定に支持すべく、棟側端部の先端は内鍔部２５を超えて本体部２０の下まで延びていることが好ましい。固定金具４０は、第１金具１７、第２金具１８のように架台フレーム３０のガイドレール部には設置されず、側壁部３２ａにネジ止めされる。上述のように、架台フレーム３０と斜辺フレーム１３ｃは非直角に交わるため、例えば第２金具１８を用いて架台フレーム３０に斜辺フレーム１３ｃを固定することはできない。固定金具４０を用いることで、架台フレーム３０に対して斜辺フレーム１３ｃをしっかり固定できると共に、固定金具４０が目立たず意匠性が良好な太陽光発電装置１０が得られる。
【００３２】
図３〜図５に例示するように、固定金具４０は、斜辺フレーム１３ｃの外側面Ｓ１に沿って配置され外側面Ｓ１に固定される板状の第１固定部４１と、架台フレーム３０の一方の側壁部３２ａに固定される第２固定部４２とを有する。外側面Ｓ１とは、斜辺フレーム１３ｃの上下方向に沿った側面のうち外側に向いた側面である。なお、外溝２４は外側面Ｓ１の下部が凹んで形成されているといえる。第２固定部４２は、第１固定部４１の横方向一端部から架台フレーム３０の長手方向に延びた板状部分である。
【００３３】
固定金具４０は、さらに、第１固定部４１の横方向他端部から架台フレーム３０の長手方向に延びた第３壁部４３を有する。第３壁部４３は、架台フレーム３０の他方の側壁部３２ｂに沿って鍔部３７の下に配置される板状部分である。第３壁部４３は、架台フレーム３０に対する結合力を向上させ、特に異形モジュール１１を裏側から持ち上げるような力（負圧）に対する耐荷重性を高める。
【００３４】
第１固定部４１は、上述のように、斜辺フレーム１３ｃの外側面Ｓ１に固定される板状部分であって、第１固定部４１の外側面Ｓ１に対向する部分は外側面Ｓ１に隙間なく当接する。第１固定部４１は、例えば厚みが３ｍｍ以下の板状であり、異形モジュール１１の外側に大きく張り出すことなく、外側面Ｓ１に沿って設けられる。また、第１固定部４１及び第３壁部４３は第１固定部４１の下部から異形モジュール１１の裏側に延出する。このため、固定金具４０は目立たず太陽光発電装置１０の外観を損なわない。
【００３５】
第１固定部４１は、斜辺フレーム１３ｃの上部から架台フレーム３０の下部にわたる上下方向長さを有する。第１固定部４１の下部は、架台フレーム３０の切断面３５と対向する位置に設けられる。架台フレーム３０の棟側端部の先端は斜辺フレーム１３ｃの外端よりモジュールの内側に位置するため、第１固定部４１は架台フレーム３０と接触せず、第１固定部４１と切断面３５の間には隙間が存在する。第１固定部４１は、屋根材５４に接触しない範囲で下壁部３３より下方に延びていてもよいが、斜辺フレーム１３ｃの上端を超えない上下方向長さとすることが好ましい。
【００３６】
第１固定部４１は、ネジ４７を用いて斜辺フレーム１３ｃの本体部２０に固定される。本体部２０は中空構造を有するため、ネジ４７の先端は本体部２０内に収容される。ネジ４７には、例えばドリルネジが使用される。第１固定部４１は、本体部２０と対向する位置にネジ４７が挿通される貫通孔４５を有する。貫通孔４５の数は特に限定されず、複数形成されていてもよく、第１固定部４１は複数のネジ４７を用いて本体部２０にネジ止めされてもよい。
【００３７】
固定金具４０は、第１固定部４１から斜辺フレーム１３ｃ側に突出し、外溝２４に挿し込まれる凸状部４４を有する。凸状部４４は、斜辺フレーム１３ｃの外溝２４と対向する位置に形成され、外溝２４の深さよりも短い突出長さを有する。凸状部４４は、例えば第１固定部４１に対して略垂直に形成される。凸状部４４を設けることで、例えば固定金具４０の施工における位置合わせが容易になり、また斜辺フレーム１３ｃに対する結合力が向上する。凸状部４４は、例えば第１固定部４１を構成する板材の一部を内側に折り曲げて形成される。図４に示す形態では、第１固定部４１の第２固定部４２側から突出した凸状部４４が１つ形成されている。
【００３８】
第２固定部４２は、切断面３５と対向する第１固定部４１の下部の横方向一端部から異形モジュール１１の裏側（内側）に延出する。第２固定部４２は、第１固定部４１に対して非垂直に形成されており、第２固定部４２は第１固定部４１と鈍角に交わっている。第２固定部４２は、架台フレーム３０の側壁部３２ａに沿って鍔部３７の下に配置され、側壁部３２ａに固定される。第２固定部４２は、側壁部３２ａに隙間なく当接することが好適である。
【００３９】
第２固定部４２は、例えば第１固定部４１が外側面Ｓ１に固定された状態で、少なくとも第２固定部４２の先端が斜辺フレーム１３ｃの内鍔部２５の先端に対応する位置を超える長さで形成されることが好ましい。第１固定部４１と第２固定部４２が金具の内側に対してなす角度は、例えば太陽電池パネル１２の斜辺１２ｃと辺１２ｂとがなす角度と略等しい。第１固定部４１と第２固定部４２とがなす角度は、例えば約１３５°である。
【００４０】
第２固定部４２は、ネジ４８を用いて側壁部３２ａに固定される。架台フレーム３０は中空構造を有するため、ネジ４８の先端はフレーム内に収容される。ネジ４８には、例えばドリルネジが使用される。第２固定部４２は、側壁部３２ａと対向する位置にネジ４８が挿通される貫通孔４６を有する。貫通孔４６は、架台フレーム３０の長手方向に長く形成された長孔である。貫通孔４６を当該長孔とすることで、第１固定部４１と架台フレーム３０の先端（切断面３５）との間隔が大きくても側壁部３２ａに対するネジ止めが容易になる。なお、貫通孔４６を長孔とする代わりに、真円形状の貫通孔を架台フレーム３０の長手方向に複数並べて形成してもよい。
【００４１】
第３壁部４３は、切断面３５と対向する第１固定部４１の下部の横方向他端部から異形モジュール１１の裏側（内側）に延出する。第３壁部４３は、例えば第２固定部４２と略平行に形成されている。第３壁部４３は、第１固定部４１に対して非垂直に形成されており、第３壁部４３は第１固定部４１と鋭角に交わっている。第３壁部４３は、側壁部３２ｂに近接配置され、側壁部３２ｂに接触していてもよい。第２固定部４２と第３壁部４３の間隔は、例えば側壁部３２ａ，３２ｂに対応する部分のフレーム幅より大きく、鍔部３７が形成されたフレーム上部のフレーム幅より小さい。
【００４２】
第３壁部４３は、上述のように、架台フレーム３０の側壁部３２ｂに沿って鍔部３７の下に配置され、側壁部３２ｂに近接配置される。但し、側壁部３２ｂには固定されていない。第３壁部４３は、例えば異形モジュール１１に大きな負圧が作用したときに架台フレーム３０の鍔部３７に接触し、負圧に対する耐久性を向上させる。第３壁部４３が鍔部３７に引っ掛かることで第２固定部４２の固定箇所に作用する負荷を低減できる。
【００４３】
第３壁部４３の延出長さは、第２固定部４２の延出長さよりも短い。第１固定部４１と第３壁部４３が金具の内側に対してなす角度は、例えば太陽電池パネル１２の斜辺１２ｃに沿った仮想線と辺１２ａに沿った仮想線とがなす角度と略等しい。また、第１固定部４１と第３壁部４３とがなす角度は、架台フレーム３０の幅方向に沿った仮想線Ｘと切断面３５に沿った仮想線Ｙとがなす角度θと略等しい。当該角度は、例えば約４５°である。
【００４４】
上記構成を備えた固定金具４０を用いることで、架台フレーム３０の棟側端部に対して斜辺フレーム１３ｃをしっかり固定できる。また、板状の第１固定部４１が斜辺フレーム１３ｃの外側面Ｓ１に沿ってネジ止めされ、第２固定部４２及び第３壁部４３が異形モジュール１１の裏側に配置されるため、固定金具４０は目立たず太陽光発電装置１０の外観を損なわない。
【００４５】
なお、上述の実施形態は一例にすぎず、本開示の目的を損なわない範囲で設計変更が可能である。第３壁部４３及び凸状部４４は、架台フレーム３０と斜辺フレーム１３ｃとの結合性を向上させるが、固定金具はこれらの少なくとも一方を有さない形態としてもよい。また、第３壁部４３に貫通孔を形成し、第３壁部４３を側壁部３２ｂにネジ止めする形態としてもよい。
【符号の説明】
【００４６】
１０  太陽光発電装置、１１  異形モジュール、１２  太陽電池パネル、１２ａ，１２ｂ  辺、１２ｃ  斜辺、１３  モジュールフレーム、１３ａ  第１フレーム、１３ｂ  第２フレーム、１３ｃ  斜辺フレーム、１４  一般モジュール、１５  ハーフモジュール、１６  化粧カバー、１７  第１金具、１８  第２金具、１９  ボルト、２０  本体部、２１  第１鉤部、２２  内溝、２３  第２鉤部、２４  外溝、２５  内鍔部、３０，３６  架台フレーム、３１  上壁部、３２ａ，３２ｂ  側壁部、３３  下壁部、３４  鉤部、３５  切断面、３７  鍔部、４０  固定金具、４１  第１固定部、４２  第２固定部、４３  第３壁部、４４  凸状部、４５，４６  貫通孔、４７，４８  ネジ、５０  屋根、５１  軒部、５２  隅棟部、５４  屋根材、Ｓ１  外側面
【図１】
2017150143.tif 000003
【図２】
2017150143.tif 000004
【図３】
2017150143.tif 000005
【図４】
2017150143.tif 000006
【図５】
2017150143.tif 000007